(57)【特許請求の範囲】
【請求項１】
玄関に設置した玄関インタフォン、および各居室に設置され前記玄関インタフォンからの呼び出しに応答可能な居室インタフォンを備えた集合住宅に設置されるエレベータの制御システムであって、
該エレベータは、
玄関ホールに設置され、該ホールに乗りかごを呼び出すホール呼び出し手段と、
乗りかご内に設置され、行き先階を表す入力を受け付けるかご呼びボタンと、
エレベータの運行を制御する制御装置を備え、
該制御装置は、
前記ホール呼び出し手段およびかご呼びボタンの操作を通常時において無効に設定し、前記居室インタフォンに付加された解錠釦による解錠操作を受信したとき、前記ホール呼び出し手段およびかご呼びボタンの操作を所定時間だけ有効に設定する設定手段を備え、
前記居室の居住者が前記居室のインタフォンにより前記ホール呼び出し手段およびかご呼びボタンの操作を有効に設定した後、再度前記解錠釦による解錠操作を行い、前記ホール呼び出し手段およびかご呼びボタンの操作を無効にして来訪者に対するエレベータの利用を制限可能としたことを特徴とするエレベータの制御システム。
【発明の詳細な説明】
【技術分野】
【０００１】
本発明は、エレベータ制御システムに係り、特に不審者のエレベータ内への乗り込みを抑制することのできるエレベータ制御システムに関する。
【背景技術】
【０００２】
集合住宅においては、集合住宅の居住者あるいは訪問者等の安全を確保するため、エレベータの運行に、様々な制限を課す場合がある。
【０００３】
例えば、特許文献１には、玄関からエレベータ内まで継続して訪問者をモニタにより監視し、訪問者が不審者である場合は、エレベータを最寄り階停止し、あるいは玄関階に戻し運転し、さらには警備室や管理室への通報などを行うことにより防犯機能を持たせることが示されている。
【０００４】
特許文献２には、集合住宅の居住者は、訪問客の集合住宅内への進入を許可する場合、オートロックドアを開放すると共に、乗りかごを集合玄関階床に移動させ、かつ、その乗りかごに乗り込めるように一定時間だけ集合玄関階床の乗場呼び釦の操作無効を解除する。また、訪問階床に乗りかごを移動させるために、行先階登録釦の訪問階床に該当する登録釦の操作無効を一定時間だけ解除するようにエレベーターを制御することが示されている。
【０００５】
特許文献３には、通常ホール呼びを無効としておき、エントランスドア開錠に連動してホール呼びを有効とするが、所定時間内にエレベータホールに設置するテンキーで操作が行われない場合には、ホール呼びを無効に戻すことが示されている。
【特許文献１】特開平７−２１５６１７号公報
【特許文献２】特開２００５−２１２９４０号公報
【特許文献３】特開２００６−３２７７６４号公報
【発明の開示】
【発明が解決しようとする課題】
【０００６】
集合住宅などに設置されるエレベータにおいては、セキュリティを高めるために、ホールの呼び釦および乗りかご内行き先階釦を通常は無効としている。そして、集合住宅への来訪者は、集合玄関などに備えたインタホン親器を介して各居室に設置されるインタホン子器を通じて居住者と通話を行い、その結果居住者が入館を許可する場合は、居室インタホンに設置される開錠釦を操作する。この操作により、はじめてホール釦および乗りかご内の行き先階釦が一定時限、有効となる。
【０００７】
来訪者は、エレベータに乗り込み、乗りかご内で行き先階釦を操作する。この操作に応じて、ホール呼び釦および乗りかご内行き先階釦を再度無効とする。
【０００８】
これにより、居住者が望まない来訪者がエレベータに乗り込むことを極力防止することができる。  
このような制御システムにおいては、居住者と来訪者の間で合意が成立し、居住者が入館を許可するために開錠操作を行うと、解錠操作を行った時点でホール呼び釦および乗りかご内行き先階釦が有効となる。この場合、例え、この時点で来訪者が例えば忘れ物をしたなどの理由で、エレベータに乗り込むことを取りやめた場合、あるいは居住者は一旦開錠操作を行ったが、やはり開錠したくなくなった場合であっても、解錠操作を行った時点から一定時間を経過するまでホール呼び釦および乗りかご内行き先階釦が有効となってしまう。このため、この期間、すなわちホール呼び釦および乗りかご内行き先階釦が有効となっている期間には、前記入館が許可された来訪者以外の者（不審者）がエレベータに乗り込むことが可能となる。
【課題を解決するための手段】
【０００９】
本発明は上記課題を解決するため、次のような手段を採用した。
【００１０】
玄関に設置した玄関インタフォン、および各居室に設置され前記玄関インタフォンからの呼び出しに応答可能な居室インタフォンを備えた集合住宅に設置されるエレベータの制御システムであって、
該エレベータは、
玄関ホールに設置され、該ホールに乗りかごを呼び出すホール呼び出し手段と、
乗りかご内に設置され、行き先階を表す入力を受け付けるかご呼びボタンと、
エレベータの運行を制御する制御装置を備え、
該制御装置は、
前記ホール呼び出し手段およびかご呼びボタンの操作を通常時において無効に設定し、前記居室インタフォンに付加された解錠釦による解錠操作を受信したとき、前記ホール呼び出し手段およびかご呼びボタンの操作を所定時間だけ有効に設定する設定手段を備え、
前記居室の居住者が前記居室のインタフォンにより前記ホール呼び出し手段およびかご呼びボタンの操作を有効に設定した後、再度前記解錠釦による解錠操作を行い、前記ホール呼び出し手段およびかご呼びボタンの操作を無効にして来訪者に対するエレベータの利用を制限可能とした。
【発明の効果】
【００１１】
本発明は、以上の構成を備えるため、入館が許可された来訪者以外のもの（不審者）がエレベータに乗り込むことを極力、抑制することのできるエレベータ制御システムを提供することができる。
【発明を実施するための最良の形態】
【００１２】
以下、最良の実施形態を添付図面を参照しながら説明する。図１は、各階居室と集合玄関にセキュリティ用インタホン設置した場合のシステム構成を説明する図である。
【００１３】
各エレベータを制御する号機制御盤１内には、号機制御用ＭＰＵボード２が設置される。また、この号機制御用ＭＰＵボード２は、多重伝送路３を介して乗りかご上に設置されるかご制御ＭＰＵ４と接続され、さらに多重伝送路５を介して各階ホールに設置されるホール制御ＭＰＵ９１，９２，９３，９４と接続する。
【００１４】
前記乗りかご上に設置されるかご制御ＭＰＵ４は、乗りかご内に設置された運転盤７およびかご呼び釦８１，８２，８３，８４を制御する。一方、前記ホール制御ＭＰＵ９１，９２，９３，９４は、各階床に設置されたホール釦６１，６２，６３，６４を制御する。
【００１５】
セキュリティ用インタホン制御器１１は多重伝送路１３および１４を介して、それぞれの居室に設置されたインタホン（居室インタフォン）１５、および集合玄関に設置されたインタホン（玄関インタフォン）１６を制御する。居室に設置されたインタホン１５には開錠釦１７が設置される。またインタホン制御器１１は多重伝送路１２を介して号機制御用ＭＰＵボート２と接続する。
【００１６】
図２は、居室に設置されたインタフォンによる開錠（「ホール釦」および「かご内行き先階釦」の有効化）操作を説明する図である。
【００１７】
号機制御盤１は、まず、ステップＳ１０において、居室インタフォンに設置された解錠釦１７の操作に伴う信号（解錠操作信号）のオンエッヂの有無（立ち上がり部の有無）を検出する。解錠操作信号のオンエッヂを検出した場合、ステップＳ１１に進む。オンエッヂを検出しない場合はステップＳ１７に進む。
【００１８】
ステップ１７において、既にかご内行き先階釦およびホール釦を有効とする有効フラグ（ｆｌｇ１）がセットされているか否かを判定する。有効フラグ（ｆｌｇ１）がセットされている場合は、ステップＳ１４に移行する。セットされていな処理を終了する。
【００１９】
ステップＳ１１において、かご内行き先階釦およびホール釦を有効とする有効フラグ（ｆｌｇ１）がセットされているか否かを判定する。有効フラグ（ｆｌｇ１）が既にセットされた状態であれば、開錠操作取り消しのための開錠釦再操作に伴うオンエッヂ検出であると判定し、ステップＳ１６に進み、ステップＳ１６において、かご内行き先階釦およびホール釦を有効とする有効フラグ（ｆｌｇ１）をリセットする。ステップＳ１１における判定の結果が有効フラグ（ｆｌｇ１）がセットされていない状態であれば、ステップＳ１２に移行する。
【００２０】
ステップＳ１２において、かご内行き先階釦およびホール釦有効フラグ（ｆｌｇ１）をセットし、ステップＳ１３において、かご内行き先階釦およびホール釦を有効化しておく時限として、所定時限ｔを図示しないタイマ（ＴＩＭＥＲ１）にセットする。
【００２１】
ステップＳ１４において、タイマ（ＴＩＭＥＲ１）に設定した所定時限ｔが満了（ＴＩＭＥＲ１＝０）したか否かを判定し、満了している場合はステップＳ１６に移行する。満了していない場合はステップＳ１５においてタイマに設定した前記時限ｔを減算（デクリメント）する。なお、以上の処理は一定周期で繰り返し実行される。
【００２２】
以上の処理により、例えば、集合住宅の居住者は、居室インタフォンに設置された解錠釦１７を操作して解錠操作信号を出力し、この信号により、かご内行き先階釦およびホール釦を有効とする有効フラグ（ｆｌｇ１）をセットしたとしても、再度前記解錠釦１７を操作することにより前記有効フラグ（ｆｌｇ１）を速やかにリセットすることができる。
【００２３】
このため、居住者と来訪者の間で入館の合意が一旦成立し、居住者が入館を許可するために開錠操作を行った場合においても、例えば、来訪者が忘れ物をしたなどの理由で、エレベータに乗り込むことを取りやめた場合、あるいは居住者は一旦開錠操作を行ったが、やはり開錠したくなくなった場合等において、再度前記解錠釦１７を操作することにより前記有効フラグ（ｆｌｇ１）を速やかにリセットしてエレベータの利用を制限するすることが可能となる。
【００２４】
図３は、「かご内行き先階釦」および「ホール釦」の「有効」および「無効」を制御する処理を説明する図である。  
まず、ステップＳ２０において、かご内行き先階釦およびホール釦を有効とする有効フラグ（ｆｌｇ１）がセットされているか否かを判定する。フラグ（ｆｌｇ１）がセットされている場合はステップＳ２１に移行し、「かご内行き先階釦」および「ホール釦」を「有効」に設定する。フラグ（ｆｌｇ１）がセットされていない場合はステップＳ２１に移行し、「かご内行き先階釦」および「ホール釦」を「無効」に設定する。
【００２５】
以上説明したように、本実施形態によれば、居住者と来訪者の間で入館の合意が一旦成立し、居住者が入館を許可するために開錠操作を行ったとしても、来訪者がエレベータに乗り込むことを取りやめた場合、あるいは居住者が、やはり開錠したくなくなった場合において、前記解錠釦１７を再度操作することにより、前記有効フラグ（ｆｌｇ１）を速やかにリセットすることができる。これにより、前記入館が許可された来訪者以外の者（不審者）がエレベータに乗り込むことを阻止することができる。
【図面の簡単な説明】
【００２６】
【図１】各階居室と集合玄関にセキュリティ用インタホン設置した場合のシステム構成を説明する図である。
【図２】居室に設置されたインタフォンによる開錠（「ホール釦」および「かご内行き先階釦」の有効化）操作を説明する図である。
【図３】「かご内行き先階釦」および「ホール釦」の「有効」および「無効」を制御する処理を説明する図である。
【符号の説明】
【００２７】
１  号機制御盤
２  号機制御用ＭＰＵボード
３，５，１２，１３，１４  多重伝送路
４  かご制御用ＭＰＵ
７  運転盤
１１  セキュリティ用インタフォン制御器
１５  居室設置のインタフォン
１６  集合玄関設置のインタフォン
１７  解錠釦
６１，６２，６３，６４  ホール釦
８１，８２，８３，８４  かご呼び釦
９１，９２，９３，９４  ホール制御ＣＰＵ
【図１】
0004522441.tif 000002
【図２】
0004522441.tif 000003
【図３】
0004522441.tif 000004